(57)【要約】【課題】光ディスクにおけるデータの記録動作以外の時に、消費電力を削減し、更に温度上昇も低減することができる光ディスク装置を提供する。【解決手段】光ディスク装置は、記録用ＤＡコンバータ（ＤＡＣ２〜ＤＡＣ４）からの供給電流（ＩＤ２〜ＩＤ４）を記録動作以外の時に、遮断または削減することによって、記録動作以外の時の不要な電力消費を低減するとともに、装置の温度上昇を抑制する。【選択図】図１
2009266308.tif 000002
【特許請求の範囲】
【請求項１】
データの記録および再生を行うことができる光ディスク装置であって、半導体レーザと、再生時に前記半導体レーザに再生駆動電流（Ｉ１）を流す再生用レーザ駆動回路本体と、記録時に前記半導体レーザに記録駆動電流（Ｉ２〜Ｉ４）を流す記録用レーザ駆動回路本体と、前記再生用および記録用レーザ駆動回路本体内部にそれぞれ含まれるカレントミラー回路の入力側に電流（ＩＤ１〜ＩＤ４）を供給するＤＡコンバータ（ＤＡＣ１〜ＤＡＣ４）と、記録用ＤＡコンバータ（ＤＡＣ２〜ＤＡＣ４）からの供給電流（ＩＤ２〜ＩＤ４）を記録動作以外の時に遮断または削減する制御部と、を備える光ディスク装置。
【請求項２】
ポータブル機器に用いられる、請求項１記載の光ディスク装置。
【請求項３】
データの記録および再生を行うことができる光ディスク装置の光ディスクコントローラであって、記録時に半導体レーザに記録駆動電流（Ｉ２〜Ｉ４）を流す記録用レーザ駆動回路本体内部に含まれるカレントミラー回路の入力側に電流（ＩＤ２〜ＩＤ４）を供給する記録用ＤＡコンバータ（ＤＡＣ２〜ＤＡＣ４）からの供給電流（ＩＤ２〜ＩＤ４）を記録動作以外の時に遮断または削減する、光ディスクコントローラ。
【請求項４】
データの記録および再生を行うことができる光ディスク装置に用いられる、再生時に半導体レーザに再生駆動電流（Ｉ１）を流す再生用レーザ駆動回路本体と、記録時に半導体レーザに記録駆動電流（Ｉ２〜Ｉ４）を流す記録用レーザ駆動回路本体とを含むレーザ駆動回路において、前記記録用レーザ駆動回路本体内部に含まれるカレントミラー回路の入力側に電流（ＩＤ２〜ＩＤ４）を供給する記録用ＤＡコンバータ（ＤＡＣ２〜ＤＡＣ４）からの供給電流（ＩＤ２〜ＩＤ４）を記録動作以外の時に遮断または削減される、光ディスク装置のレーザ駆動回路。
【発明の詳細な説明】
【技術分野】
【０００１】
本発明は、光ディスクにデータを記録し、記録されたデータを再生するための光ディスク装置に関する。
【背景技術】
【０００２】
周知のように、ＣＤ（Ｃｏｍｐａｃｔ  Ｄｉｓｃ）、ＤＶＤ（Ｄｉｇｉｔａｌ  Ｖｅｒｓａｔｉｔｌｅ  Ｄｉｓｃ）が普及しており、近年、更なる大容量を実現するＢＤ（Ｂｌｕ−ｒａｙ  Ｄｉｓｃ）等の光ディスク媒体が開発、実用化されており、その需要も高まってきている。
【０００３】
そして、このような光ディスクに対して、半導体レーザから光を照射することにより、データの記録及び再生を実現できる。一般にデータを記録する時には、半導体レーザをパルス発光させ、それにより光ディスクに記録マークを形成する。例えば、特許文献１に開示されているように半導体レーザを光変調させ、発光させるために、一般的に図１に示すようなレーザ駆動回路が用いられる。
【０００４】
データを記録する際には、全てのＤＡコンバータ１〜４からカレントミラー回路の入力側に電流ＩＤ１〜ＩＤ４を供給する。供給されたＩＤ１は再生用レーザ駆動回路４３内部のカレントミラー回路で増幅され、再生駆動電流Ｉ１を出力し、ＩＤ２〜ＩＤ４は記録用レーザ駆動回路４０内部の各々のカレントミラー回路の出力側に接続されたスイッチＳＷ２〜ＳＷ４のオン、オフに応じてカレントミラー回路で増幅した電流Ｉ２〜Ｉ４を再生駆動電流Ｉ１に加算して出力し、半導体レーザ５を発光させる。スイッチＳＷ２はボトムパワー変調信号（ａ）、スイッチＳＷ３はバイアスパワー変調信号（ｂ）、スイッチＳＷ４はピークパワー変調信号（ｃ）に応じて、Ｈｉｇｈの場合はオン、Ｌｏｗの場合はオフするように制御される。
【０００５】
記録動作以外の時には、全てのＤＡコンバータ１〜４はオンのまま、スイッチＳＷ２〜ＳＷ４をオフにして、記録駆動電流Ｉ２〜Ｉ４を遮断し、再生駆動電流Ｉ１のみで、半導体レーザ５を発光させる。
【特許文献１】特公平６−２６２７５号公報
【発明の開示】
【発明が解決しようとする課題】
【０００６】
従来の光ディスク装置の記録動作処理について、図３を参照しながら説明する。記録を行う場合、ステップＳ３１において全てのＤＡコンバータ１〜４をオンにして、ステップＳ３２で変調信号に応じて半導体レーザ５を発光することにより、記録マークを形成する。この記録用発光終了後、ＤＡコンバータ１〜４はオンの状態のまま、スイッチＳＷ２〜ＳＷ４をオフにすることによって、記録駆動電流Ｉ２〜Ｉ４を遮断し、記録動作を完了させる。この記録動作終了後も、記録用ＤＡコンバータ２〜４は不要な電流ＩＤ２〜ＩＤ４を、それぞれトランジスタＴ２〜Ｔ４及び抵抗Ｒ２〜Ｒ４に供給しているため、無駄な電力消費が存在していた。
【０００７】
つまり、従来の光ディスク装置では、データの記録動作以外の時に不要な電力消費があり、低消費電力化が図れない、または、機器の温度の上昇を抑制できないという欠点があった。
【０００８】
そこで本発明は、上記欠点を克服して、低消費電力化および機器の温度の最適化が図れる光ディスク装置を提供することを目的とする。
【課題を解決するための手段】
【０００９】
本発明の光ディスク装置は、データの記録および再生を行うことができる光ディスク装置であって、半導体レーザと、再生時に前記半導体レーザに再生駆動電流（Ｉ１）を流す再生用レーザ駆動回路本体と、記録時に前記半導体レーザに記録駆動電流（Ｉ２〜Ｉ４）を流す記録用レーザ駆動回路本体と、前記再生用および記録用レーザ駆動回路本体内部にそれぞれ含まれるカレントミラー回路の入力側に電流（ＩＤ１〜ＩＤ４）を供給するＤＡコンバータ（ＤＡＣ１〜ＤＡＣ４）と、記録用ＤＡコンバータ（ＤＡＣ２〜ＤＡＣ４）からの供給電流（ＩＤ２〜ＩＤ４）を記録動作以外の時に遮断または削減する制御部と、を備えている。
【００１０】
前記光ディスク装置は、ポータブル機器に用いられてもよい。
【００１１】
本発明による光ディスクコントローラは、データの記録および再生を行うことができる光ディスク装置の光ディスクコントローラであって、記録時に半導体レーザに記録駆動電流（Ｉ２〜Ｉ４）を流す記録用レーザ駆動回路本体内部に含まれるカレントミラー回路の入力側に電流（ＩＤ２〜ＩＤ４）を供給する記録用ＤＡコンバータ（ＤＡＣ２〜ＤＡＣ４）からの供給電流（ＩＤ２〜ＩＤ４）を記録動作以外の時に遮断または削減する。
【００１２】
本発明の光ディスク装置のレーザ駆動回路は、データの記録および再生を行うことができる光ディスク装置に用いられる、再生時に半導体レーザに再生駆動電流（Ｉ１）を流す再生用レーザ駆動回路本体と、記録時に半導体レーザに記録駆動電流（Ｉ２〜Ｉ４）を流す記録用レーザ駆動回路本体とを含むレーザ駆動回路において、前記記録用レーザ駆動回路本体内部に含まれるカレントミラー回路の入力側に電流（ＩＤ２〜ＩＤ４）を供給する記録用ＤＡコンバータ（ＤＡＣ２〜ＤＡＣ４）からの供給電流（ＩＤ２〜ＩＤ４）を記録動作以外の時に遮断または削減される。
【発明の効果】
【００１３】
本発明の光ディスク装置は、新規の構成要素を追加することなく消費電力を低減することができ、更には温度上昇を抑制することが可能である。機器としては、特に小型のため機器内部の温度が上昇しやすく、更には、電池寿命をより長くすることが必要とされる記録及び再生可能な携帯型光ディスク装置に適している。
【発明を実施するための最良の形態】
【００１４】
（実施の形態）
本発明による光ディスク装置の好ましい実施形態について、図面を用いて説明する。
【００１５】
図２は本発明の実施形態に係る光ディスク装置を示すブロック図である。図中の光ディスク２１は、例えば、ＢＤ−ＲＥ（書き換え型ディスク）やＢＤ−Ｒ（追記型ディスク）等の記録可能な光ディスクであり、本実施形態の光ディスク装置に光ディスク２１が挿入されると、光ディスク２１は一定方向に回転し、その後、光ヘッド２２内部に存在する半導体レーザ５から光ディスク２１に対して発光し、データの記録または再生を行う。
【００１６】
記録時は、例えば映像及び音声の記録データに対して、エンコーダ３０が変調し、符号化された記録信号を生成する。記録処理部３１は、エンコーダ３０から記録信号を受け取り、マルチパルス化処理を行う。制御部４２は、記録処理部３１からマルチパルス信号を受け取り、記録用変調信号Ｓ１を出力するとともに、ＤＡコンバータ２〜４への電流（ＩＤ２〜ＩＤ４）設定を行う。
【００１７】
一方、再生時は、光検出器２６によって、出力された電気信号に対して、ＦＥＰ（Ｆｒｏｎｔ  Ｅｎｄ  Ｐｒｏｃｅｓｓｏｒ）２７が波形等化を行い、再生処理部２８でアナログデータをデジタルデータへ変換し、デコーダ２９で、再生処理部２８の出力データを復調することによって、例えば映像及び音声の再生データを出力する。
【００１８】
光ヘッド２２では、半導体レーザ５から発生するレーザ光をコリメータレンズ２３で平行光に変換する。この平行光は、ビームスプリッタ２４で反射され、対物レンズ２５によって光ディスク２１に集束される。光ディスク２１で反射された光は、対物レンズ２５及びビームスプリッタ２４を透過し、光検出器２６に集光する。光検出器２６は、この集光した光を電気信号に変換して出力する。
【００１９】
制御部４２は、光ビームが所望のトラックを追従するように対物レンズ２５の位置をトラッキング駆動部４１を介して調整する。
【００２０】
次に光ディスク装置の記録動作処理について、図4を参照しながら説明する。
【００２１】
制御部４２は、データの記録時には、図４のステップＳ４１において、全てのＤＡコンバータ１〜４をオンにして、再生用レーザ駆動回路４３、記録用レーザ駆動回路４０を用いて図１の再生用ＤＡコンバータ１の電流ＩＤ１及び記録用ＤＡコンバータ２〜４の電流ＩＤ２〜ＩＤ４を設定する。
【００２２】
そして、ステップＳ４２でＩＤ２〜ＩＤ４を記録用レーザ駆動回路４０で増幅し、出力された電流Ｉ２〜Ｉ４を各々の記録系カレントミラー回路の出力側に接続されたスイッチＳＷ２〜ＳＷ４のオン、オフを制御する変調信号に応じて、再生用レーザ駆動回路４３で出力された電流Ｉ１に加算して出力をし、半導体レーザ５を発光させ記録マークを形成する。
【００２３】
この記録発光終了後、再生用ＤＡコンバータ１はオンの状態のまま、ステップＳ４３において制御部４２が記録用ＤＡコンバータ２〜４をオフに設定することによって、ＤＡコンバータ２〜４からの供給電流ＩＤ２〜ＩＤ４及び記録駆動電流Ｉ２〜Ｉ４を遮断し、記録動作を完了させる。このように記録動作以外の時は、ＤＡコンバータ２〜４がオフ状態のため、従来技術で不要だった電流ＩＤ２〜ＩＤ４を削除でき、これによりトランジスタＴ２〜Ｔ４及び抵抗Ｒ２〜Ｒ４で無駄に消費していた電力を削減できるとともに、装置の温度上昇を抑制することができる。
【００２４】
なお、本実施の形態は図1及び図２において、ＤＡコンバータをレーザ駆動回路５４の外部に図示したが、レーザ駆動回路５４に内蔵してもよい。
【００２５】
図４のステップＳ４３において、再生状態のＤＡコンバータ２〜４のオフ設定について、オフできない場合にはオンよりも小さい電流に設定することによって、消費電力を低減してもよい。
【００２６】
図１に示すレーザ駆動回路の構成は一例であり、具体的な形態は再生用のカレントミラー回路が1系統、記録用のカレントミラー回路が３系統に限定されない。
【産業上の利用可能性】
【００２７】
本発明の光ディスク装置は、カムコーダ等の記録及び再生可能な携帯型光ディスク装置に適している。更に、その他の低消費電力の必要がある、または、温度上昇を軽減する必要がある光ディスク装置にも広く用いられる。
【図面の簡単な説明】
【００２８】
【図１】光ディスク装置のレーザ駆動回路を示す構成図
【図２】光ディスク装置を示すブロック図
【図３】従来技術の記録動作処理を示すフローチャート
【図４】本発明の記録動作処理を示すフローチャート
【符号の説明】
【００２９】
１    再生用ＤＡコンバータ（ＤＡＣ１）
２    ボトムパワー用ＤＡコンバータ（ＤＡＣ２）
３    バイアスパワー用ＤＡコンバータ（ＤＡＣ３）
４    ピークパワー用ＤＡコンバータ（ＤＡＣ４）
５    半導体レーザ
２１    光ディスク
２２    光ヘッド
２３    コリメータレンズ
２４    ビームスプリッタ
２５    対物レンズ
２６    受光素子
２７    ＦＥＰ（Ｆｒｏｎｔ  Ｅｎｄ  Ｐｒｏｃｅｓｓｏｒ）
２８    再生処理部
２９    デコーダ
３０    エンコーダ
３１    記録処理部
４０    記録用レーザ駆動回路
４１    トラッキング駆動部
４２    制御部
４３    再生用レーザ駆動回路
５０    ＤＡＣ内蔵記録用レーザ駆動回路
５３    ＤＡＣ内蔵再生用レーザ駆動回路
５４    レーザ駆動回路
ＳＷ２〜ＳＷ４    スイッチ
Ｔ２〜Ｔ４    トランジスタ
Ｒ２〜Ｒ４    抵抗
【図１】
2009266308.tif 000003
【図２】
2009266308.tif 000004
【図３】
2009266308.tif 000005
【図４】
2009266308.tif 000006